(57)【要約】【課題】天然竹の建仁寺垣に外観を模した人工竹垣を提供すること。【解決手段】人工竹垣１は、複数本の支柱１１と２本で一組となる複数組の横支柱１２とで構成される枠組み内の表裏両面に、並んだ割竹の模様を模した、円弧が連続する断面形状の竹垣様パネル１３の複数枚が組み付けられてなる。横支柱１２は、支柱１１の側面に取り付けるための支柱取付部１２１と、組み付けた竹垣様パネル１３の外れを防止するパネル支持部１２３と、支柱取付部１２１とパネル支持部１２３とをつなぎ、上向きの溝１２４ａと下向きの溝１２４ｂを形成する中空のブリッジ部１２２とからなる。１組の横支柱１２は支柱１１を挟んで平行に隣接支柱１１間に渡され、竹垣様パネル１３が、上下に隣接する横支柱１２のそれぞれに形成された溝１２４ａ，１２４ｂに嵌め込まれる。【選択図】図３
2015071859.tif 000002
【特許請求の範囲】
【請求項１】
複数本の支柱と２本で１組となる複数組の横支柱とで構成される枠組み内の表裏両面に、並んだ割竹の模様を模した、円弧が連続する断面形状の竹垣様パネルの複数枚が組み付けられてなり、
前記横支柱は、前記支柱の側面に取り付けるための支柱取付部と、組み付けられた竹垣様パネルの外れを防止するパネル支持部と、前記支柱取付部と前記パネル支持部とをつなぎ、上向きの溝と下向きの溝を形成する中空のブリッジ部とからなり、
１組の横支柱は平行に隣接する支柱間に渡され、
前記竹垣様パネルが、上下に隣接する横支柱のそれぞれに形成された溝に嵌め込まれることを特徴とする人工竹垣。
【請求項２】
最上段の横支柱の長手方向にわたって、１対の頂部割竹様板が前記１組の横支柱を覆い、接合部材で該横支柱と固定され、
前記頂部割竹様板の上部は鉛直方向に突き出した合わせ部であり、１対の頂部割竹様板の前記合わせ部同士を当接させて接合部材で固定するとともに、
２段目以降の横支柱の長手方向にわたって、割竹様板が該横支柱を覆い、接合部材で該横支柱と固定されることを特徴とする請求項１に記載の人工竹垣。
【請求項３】
前記横支柱には、前記頂部割竹様板あるいは前記割竹様板の内側に当接する円弧状の割竹様板受け部が形成されていることを特徴とする請求項２に記載の人工竹垣。
【請求項４】
ビス孔を有する棕櫚縄状の立体模様を前記割竹様板の表面に成形し、この立体模様に設けたビス孔と前記割竹様板および前記割竹様板受け部のそれぞれに設けたビス孔とをビス留めすることを特徴とする請求項３に記載の人工竹垣。
【請求項５】
ビス孔を有する棕櫚縄状の立体模様を前記頂部割竹様板の表面に成形し、この立体模様に設けたビス孔と前記合わせ部に設けたビス孔とをビス留めすることを特徴とする請求項３に記載の人工竹垣。
【請求項６】
複数本の支柱と複数本の横支柱とで構成される枠組み内の片面に、並んだ割竹の模様を模した、円弧が連続する断面形状の竹垣様パネルの複数枚が組み付けられてなり、
前記横支柱は、前記支柱の側面に取り付けるための支柱取付部と、組み付けられた竹垣様パネルの外れを防止するパネル支持部と、前記支柱取付部と前記パネル支持部とをつなぎ、上向きの溝と下向きの溝を形成する中空のブリッジ部とからなり、
各横支柱は平行に隣接する支柱間に渡され、
前記竹垣様パネルが、上下に隣接する横支柱のそれぞれに形成された溝に嵌め込まれることを特徴とする人工竹垣。
【請求項７】
最上段の横支柱の長手方向にわたって、頂部割竹様板が前記横支柱を覆い、接合部材で該横支柱と固定され、
２段目以降の横支柱の長手方向にわたって、割竹様板が該横支柱を覆い、接合部材で該横支柱と固定されることを特徴とする請求項６に記載の人工竹垣。
【請求項８】
前記横支柱には、前記頂部割竹様板あるいは前記割竹様板の内側に当接する円弧状の割竹様板受け部が形成されていることを特徴とする請求項７に記載の人工竹垣。
【請求項９】
ビス孔を有する棕櫚縄状の立体模様を前記割竹様板の表面に成形し、この立体模様に設けたビス孔と前記割竹様板および前記割竹様板受け部のそれぞれに設けたビス孔とをビス留めすることを特徴とする請求項８に記載の人工竹垣。
【発明の詳細な説明】
【技術分野】
【０００１】
天然竹の建仁寺垣に外観を模した人工竹垣に関する。
【背景技術】
【０００２】
日本庭園や和風家屋の塀や垣根として一般的な建仁寺垣に用いられる天然の竹は、丈夫で軽いという特性と独特の風情とがある。造園や建築の材料となる竹は、竹林で伐採後に製材所へ運ばれ、漂白加工されて白竹として販売される。
建仁寺垣にも、この白竹が用いられるが、天然の竹を用いることは、たいへん手間がかかりコストを押し上げる。そのうえ、天然の竹は日本での生産量が減少している。また、天然の竹を用いた場合、腐食による老朽化・倒壊の恐れがあるので一定期間で交換が必要となる。
ところで科学技術の進歩により、天然素材にかわってプラスチック等の化学製品が使用される現状がある。プラスチック等は変色や腐食に強く、耐久性があり、しかも大量生産が可能なので安定した価格での供給が可能であり、施工が容易という利点があるからである。
そのため、竹垣についても、天然の竹の代わりに、プラスチック等を用いた人工的な竹垣が普及しつつある。
【０００３】
この人工竹垣に関する発明・考案が複数提案されており、例えば、特許文献１には表裏面に割竹様の立体模様を有する合成樹脂製の竹垣パネルの上下及び左右側縁部に合決り用の平坦部が形成されており、上下及び左右のパネル同士を相互に平坦部の合決りによって体裁よく容易に連結できると共に、同平坦部を利用して支柱や胴縁に対しても連結できる「人工竹垣」に関する発明が開示されている。
【先行技術文献】
【特許文献】
【０００４】
【特許文献１】特開２００１−１９３３１６号公報（図２、図３）
【発明の概要】
【発明が解決しようとする課題】
【０００５】
特許文献１に記載の発明は、竹垣パネル同士を体裁よく連結でき、上下の胴縁において胴縁本体が両側の割竹状表面材によって隠され、側方からの外観では該表面材の割竹形状が視認されることから、竹垣面の上下縁部の仕舞が竹垣パネルの立体模様によく調和し、全体として外観体裁に優れている。
しかしながら、特許文献１の竹垣パネルは、上下側縁部に合決り用の平坦部を有しており、胴縁本体に突設されている垂直取付片をこの平坦部に接合してボルト等で固着した後、割竹状表面材を胴縁本体に設けられた位置決め用突縁に当接する状態で接合させているので、次のような不都合がある。すなわち、パネルを組み付ける手間がかかるだけでなく、台風等の強風によってパネルが破損したときなどパネルを取り替えるためにはボルトを抜いて胴縁からパネルを外さなくてはならない。
【０００６】
ところで、戸や蓋を嵌め込む方法として倹飩（ケンドン）式が知られている。これは、障子に代表されるように、戸や蓋を上げて上側に設けた溝に差し込み、この戸や蓋を下側に設けた溝に落として上下の溝と溝の間に嵌め込むものである。倹飩式の利点は、ボルトやナットが不要であって、上下の溝の間に嵌め込むだけでよいという簡便さにある。
本発明は、倹飩式を利用して、人工竹垣の枠組みに竹垣パネルを組み付けたり取外したりすることがきわめて簡単にでき、不慣れなアルバイトでも容易に作業ができるような人工竹垣を提供することを目的とする。
【課題を解決するための手段】
【０００７】
上記の目的を達成するために、請求項１に係る発明は、
複数本の支柱と２本で１組となる複数組の横支柱とで構成される枠組み内の表裏両面に、並んだ割竹の模様を模した、円弧が連続する断面形状の竹垣様パネルの複数枚が組み付けられてなり、
前記横支柱は、前記支柱の側面に取り付けるための支柱取付部と、組み付けられた竹垣様パネルの外れを防止するパネル支持部と、前記支柱取付部と前記パネル支持部とをつなぎ、上向きの溝と下向きの溝を形成する中空のブリッジ部とからなり、１組の横支柱は平行に隣接する支柱間に渡され、前記竹垣様パネルが、上下に隣接する横支柱のそれぞれに形成された溝に嵌め込まれることを特徴とする。
【０００８】
このように、倹飩式に竹垣様パネルを嵌め込むことができるので、非熟練のアルバイトでも容易に作業ができる。また、竹垣様パネルだけが破損した場合は、破損した竹垣様パネルだけを取り替えればよい。もし、倹飩式ではなく、特許文献１のようにパネルと胴縁とが固定されている場合は、修理に手間がかかる。
【０００９】
上記の目的を達成するために、請求項２に係る発明は、請求項１に記載の人工竹垣であって、
最上段の横支柱の長手方向にわたって、１対の頂部割竹様板が該１組の横支柱を覆い、接合部材で該横支柱と固定され、
前記頂部割竹様板の上部は鉛直方向に突き出した合わせ部であり、１対の頂部割竹様板の前記合わせ部同士を当接させて接合部材で固定するとともに、
２段目以降の横支柱の長手方向にわたって、割竹様板が該横支柱を覆い、接合部材で該横支柱と固定されることを特徴とする。
このように、頂部割竹様板が笠木を兼用しているので、部材の点数が少なく、取付の手間やコストなどの面で有利である。
なお、接合部材は特に限定しないが、下記の実施形態ではビスを用いている。
【００１０】
上記の目的を達成するために、請求項３に係る発明は、請求項２に記載の人工竹垣であって、
前記横支柱には、前記頂部割竹様板あるいは前記割竹様板の内側に当接する円弧状の割竹様板受け部が形成されていることを特徴とする。
これにより、割竹様板受け部に、割竹様板が空隙なく当接しているので、風のある日でも割竹様板が揺れ動かず騒音の発生を抑制できる。
【００１１】
上記の目的を達成するために、請求項４に係る発明は、請求項３に記載の人工竹垣であって、
ビス孔を有する棕櫚縄状の立体模様を前記割竹様板の表面に成形し、この立体模様に設けたビス孔と前記割竹様板および前記割竹様板受け部のそれぞれに設けたビス孔とをビス留めすることを特徴とする。
このように割竹様板の外側から割竹様板受け部にビスを挿入し固着しているので、割竹様板がしっかりと横支柱に固定される。また、棕櫚縄状の立体模様の上からビスを挿入するので、外部からビスが目立つことはなく、風趣を損なうことはない。
上記の目的を達成するために、請求項５に係る発明は、請求項３に記載の人工竹垣であって、
ビス孔を有する棕櫚縄状の立体模様を前記頂部割竹様板の表面に成形し、この立体模様に設けたビス孔と前記合わせ部に設けたビス孔とをビス留めすることを特徴とする。
これにより、１対の頂部割竹様板が確実に固定されるとともに、棕櫚縄状の立体模様の上からビスを挿入するので、外部からビスが目立つことはなく、風趣を損なうことはない。
【００１２】
請求項６乃至９に係る発明は、ブロック塀などの片面に取り付ける人工竹垣であって、これらも、上記の目的を達成するものである。
【発明の効果】
【００１３】
非熟練者であっても、枠組みに竹垣様パネルを取り付ける作業が簡易迅速に行える。強風などでパネルが損傷することがあるとしても支柱および横支柱からなる枠組みに損傷がなければ、パネルを再度取り付けるだけでよく、修理の手間もかからない。
【図面の簡単な説明】
【００１４】
【図１】第１の実施形態の人工竹垣の正面図である。
【図２】図１の割竹様パネルのＡ−Ａ線における部分断面図である。
【図３】図１のＢ−Ｂ線における部分断面図である。
【図４】第１の実施形態のビス留めした状態を説明する図である。
【図５】第２の実施形態の人工竹垣側面の断面図である。
【発明を実施するための形態】
【００１５】
《第１の実施の形態》
本発明の第１の実施の形態の人工竹垣１について、図１〜図４を参照しながら説明する。
【００１６】
図１に示すように、人工竹垣１は、２本以上の支柱１１と複数組の横支柱１２からなる枠に竹垣様パネル１３を嵌め込むことで形成される。
支柱１１および横支柱１２は、アルミなどの金属製が用いられ、隣接する２本以上の支柱１１間に２本の横支柱１２が平行に渡される。図１では横支柱１２が上下に３組あるが、２組あるいは４組以上でもよい。
【００１７】
竹垣様パネル１３は、割竹の模様を模した、図２に示すような円弧が連続する断面形状のパネルであって、さらに竹の節に見立てた突起や塗装を適宜持つ。この竹垣様パネル１３を１枚以上横に並べて、下方に隣接する横支柱１２間に嵌め込む。竹垣様パネル１３の素材として、例えば、強度を向上させた繊維強化プラスチック（ＦＲＰ）が適当である。
本発明の要点は横支柱１２にある。すなわち、竹垣様パネル１３をどのように組み付けるかという問題である。特許文献１に開示の従来技術では、竹垣様パネル１３を横支柱に嵌め込みずれないように固定させている。しかし、作業の手間がかかるので、いかに簡便に組み付けるかが重要となる。
また、横支柱１２に竹垣様パネル１３を嵌め込んでも、横支柱１２が外部から視認できるようであっては興趣を損なってしまう。そのため、本発明では表面に割竹の模様を模した頂部割竹様板１７と割竹様板１８で横支柱１２の長手方向全体を覆う必要がある。この頂部割竹様板１７と割竹様板１８を簡便に取り付けることも課題である。
【００１８】
まず、竹垣様パネル１３の組み付けについて説明する。
図３に示すように、横支柱１２は、支柱取付部１２１によって支柱１１の側面に固定される。支柱取付部１２１の上下２箇所をクロスジョイント１９ａ、１９ｂとビスなどの留め具２０を介して支柱１１に固定させる。クロスジョイント１９ａ、１９ｂは、同じ形状の部材を上下逆にして使用する。支柱取付部１２１の上端部と下端部のそれぞれに設けた小突起１２１ａ、１２１ｂは、それぞれクロスジョイント１９ａ、１９ｂで横支柱１２を押さえるために用いる。
支柱取付部１２１から２枚の平行な平面が突設してブリッジ部１２２を形成している。ブリッジ部１２２を形成する２平面に直交する平面をパネル支持部１２３とする。
支柱取付部１２１とブリッジ部１２２とパネル支持部１２３が、上に開口した溝１２４ａと下に開口した溝１２４ｂを形成している。下向きの溝１２４ｂに竹垣様パネル１３の上端部を上に持ち上げるように挿入した後、持ち上げた竹垣様パネル１３を下方に落とし込み、下方に隣接する横支柱１２の上向きの溝１２４ａに竹垣様パネル１３の下端部を挿入する。これで、上下に隣接する横支柱１２間に竹垣様パネル１３を組み付けることができた。
【００１９】
横支柱１２は支柱１１を挟んで平行にもう一本の横支柱１２が渡されているので、この裏側にある横支柱１２とその下方にある横支柱１２との間にも竹垣様パネル１３を組み付ける。このように表と裏の両側に竹垣様パネル１３を組み付ける場合、図３からわかるように、支柱１１を軸として対称になっているので、バランスがよく倒れにくい。ただし、本発明は、表或は裏の片側にだけでも竹垣様パネル１３を組み付けることもできる。これを後で第２の実施の形態として説明する。
【００２０】
竹垣様パネル１３の高さは、下方の横支柱１２の溝１２４ａに下端部の底面１３２が当接したときに、上端部の底面１３１がパネル支持部１２３の下部よりも上方に位置するように寸法設定をする。
【００２１】
このようにして、枠組の両面に竹垣様パネル１３が組み付けられ、ＦＲＰなどの人工素材を用いながら遠目には竹垣のように見え、和風の家屋や庭園とマッチする。しかも、ＦＲＰのような強靭で、腐食しにくい素材を用いているので、寒暖の差が激しい土地や、降雨量や積雪量の多い地方においても安心して設置できる。むしろ、このような気候条件の悪い土地では天然竹を用いることは不適当であり、積極的に本発明の人工竹垣の使用が望まれる。
なお、ブリッジ部１２２は縦断面がロ字型をしている。このように中空になっているので軽量であり、材料費の節約になる。しかも、その形状から、軽量である割に強度も確保できる。
【００２２】
以上、竹垣様パネル１３を枠組に取り付けたが、横支柱１２が外部から視認できないようにするため、上縁部１４に渡された横支柱１２を頂部割竹様板１７で覆う。頂部割竹様板１７は、割竹様板本体１７１と笠木部１７２と合わせ部１７３が一体となって形成される。頂部割竹様板１７は２個１組で使用される。
割竹様板本体１７１と笠木部１７２は、断面が円弧状であって割竹をイメージする模様が付された板である。
また、桟部１５、下縁部１６のそれぞれに渡された横支柱１２を割竹様板１８で覆う。この割竹様板１８は断面が円弧状であって割竹をイメージする模様が付された板である。
【００２３】
頂部割竹様板１７と割竹様板１８をそれぞれ横支柱１２に取り付けるために、横支柱１２にはパネル支持部１２３の両端点を含む割竹様板受け部１２５が形成されている。この割竹様板受け部１２５は、頂部割竹様板１７あるいは割竹様板１８の内側の円弧と接する形状で安定した保持を可能とする形状をしている。パネル支持部１２３と割竹様板受け部１２５は、断面が概ね弓形の空洞を形成する。そのため、横支柱全体が軽量化できるとともに、材料費も節約できる。
【００２４】
頂部割竹様板１７は２個１組で用いられるが、一方の頂部割竹様板１７の割竹様板本体１７１の内側に割竹様板受け部１２５を当接させて、割竹様板本体１７１と割竹様板受け部１２５にそれぞれ設けたビス孔でビス留めして、横支柱１２に頂部割竹様板１７を固定させる。他方の頂部割竹様板１７も同様に横支柱１２に固定させる。１対の頂部割竹様板１７の合わせ部１７３のそれぞれに設けたビス孔にビス留めすることで、合わせ部１７３同士が接着し、隙間から雨水などが入り込むことを防止できる。なお、図１と図４では、合わせ部１７３の形状が半円状となっているが、特に形状は限定しない。
【００２５】
また、本物の竹垣らしく見せるために、図１に示すように頂部割竹様板１７及び割竹様板１８の支柱１１にあたる箇所に立体的な棕櫚形状の模様３２を成形するとよい。
図４（ａ）に示すように、頂部割竹様板１７の棕櫚形状の模様３２の箇所で、ビス３３留めしている。ここで、ビスの頭が視認できるのでは興ざめである。そこで、棕櫚形状の模様３２と同色のビスを合わせ部１７３に設けたビス孔に挿入するとよい。
【００２６】
桟部１５と下縁部１６の横支柱１２には、割竹様板１８を被せる。
割竹様板１８の内側に割竹様板受け部１２５を当接させて、割竹様板１８と割竹様板受け部１２５にそれぞれ設けたビス孔でビス留めして、横支柱１２に割竹様板１８を固定させる。
図４（ｂ）に示すように、割竹様板１８に交差した棕櫚縄を模した立体的な棕櫚形状の模様３２を成形し、この模様が交差した箇所でビス３３留めしている。このビス留めの箇所は、割竹様板１８と割竹様板受け部１２５とをビス留めした箇所と一致させる。
【００２７】
以上のように形成された人工竹垣１は、設置箇所の地面に置かれた土台３１に支柱１１を差込み、モルタルなどを流して支柱１１を土台３１に立設させればよい。
なお、広い庭園などでは、竹を模した棒状の部材などを別途用意し、人工竹垣１同士をつないで用いるとよい。
【００２８】
《第２の実施の形態》
次に、第２の実施形態の人工竹垣２について図５を参照しながら説明する。
第１の実施形態の人工竹垣１は、表と裏の両面に竹垣様パネル１３を取り付けていた。
しかし、既にブロック塀が設置されている場合、このブロック塀を活かしつつ、片面だけを竹垣のように見せたいというニーズもある。
この実施形態の人工竹垣２は、このようなニーズに応えるために、ブロック塀の片面だけを竹垣様にしたものである。
【００２９】
図５に示すように、人工竹垣２は支柱を用いることなく、横支柱１２を直接ブロック塀３４に固定させ、上下に隣接する横支柱１２の間に竹垣様パネル１３を取り付け、横支柱１２を頂部割竹様板１７と割竹様板１８とで覆ったものである。上縁部は人工竹垣１のように２個１組の頂部割竹様板１７を合わせて覆うことはせず、１個の頂部割竹様板１７だけを用いる。
図５では、ブロック塀３４に横支柱１２を直接固定させているが、支柱１１を別途用いて、この支柱に横支柱１２を固定させてもよい。
この実施形態では、ブロック塀３４を支柱１１代わりとしているが、ブロック塀に限らず、板塀やアルミフェンスなどでもよい。
【００３０】
上記の２つの実施形態は、いずれも竹垣様パネルの嵌め込みを倹飩式で行っている点が重要であり、横支柱の断面形状などは特許請求の範囲を逸脱しないことを条件に変形可能である。
【産業上の利用可能性】
【００３１】
本発明の人工竹垣は、安価であると同時に風格があることから日本庭園や日本風家屋の敷地を囲むにふさわしい建材として多くの需要が期待される。
【符号の説明】
【００３２】
１：（第１の実施形態の）人工竹垣
１１：支柱
１２：横支柱
１２１：支柱取付部
１２２：ブリッジ部
１２３：パネル支持部
１２４ａ、１２４ｂ：溝
１２５：割竹様板受け部
１３：竹垣様パネル
１３１：上端部底面
１３２：下端部底面
１４：上縁部
１５：桟部
１６：下縁部
１７：頂部割竹様板
１７１：割竹様板本体
１７２：笠木部
１７３：合わせ部
１８：割竹様板
１９ａ、１９ｂ：クロスジョイント
２０：留め具
２：（第２の実施形態の）人工竹垣
３１：土台
３２：棕櫚縄状の立体模様
３３：ビス
３４：ブロック塀
【図２】
2015071859.tif 000003
【図３】
2015071859.tif 000004
【図４】
2015071859.tif 000005
【図５】
2015071859.tif 000006
【図１】
2015071859.tif 000007